(57)【要約】      （修正有）【課題】光ファイバケーブルからの脱落を抑制可能、かつ光ファイバケーブルの損傷を抑制可能な光ファイバケーブルガイドを提供すること。【解決手段】光ファイバケーブルガイド１は、コネクタ１０３の挿抜方向の一端において、光ファイバケーブル１０１をコネクタの挿抜方向に交差する方向へと湾曲させた状態で保持可能に構成された保持部３を含む。保持部は、ヒンジ部１３を介して開閉可能に連結された第一周壁部１１及び第二周壁部１２と、第一周壁部及び第二周壁部が閉じられた際に、第一周壁部と第二周壁部との間に架け渡されて、第一周壁部及び第二周壁部が開かれるのを規制するロック状態となるロック部１５とを有する。【選択図】図１
2019060953.tif 000002
【特許請求の範囲】
【請求項１】
光ファイバケーブルの一端に設けられるコネクタに装着されて、前記光ファイバケーブルが前記コネクタから当該コネクタの挿抜方向に対して交差する方向へと延出するように、前記光ファイバケーブルを案内する光ファイバケーブルガイドであって、
前記コネクタの挿抜方向の一端において、前記光ファイバケーブルを前記コネクタの挿抜方向に交差する方向へと湾曲させた状態で保持可能に構成された保持部を含み、
前記保持部は、
ヒンジ部を介して開閉可能に連結された第一周壁部及び第二周壁部と、
前記第一周壁部及び前記第二周壁部が閉じられた際に、前記第一周壁部と前記第二周壁部との間に架け渡されて、前記第一周壁部及び前記第二周壁部が開かれるのを規制するロック状態となるロック部と
を有し、
前記保持部は、前記第一周壁部及び前記第二周壁部が閉じられた際に、前記第一周壁部と前記第二周壁部との間に挟まれる位置にある前記光ファイバケーブルを、前記コネクタの挿抜方向に交差する方向へと湾曲させて保持する状態となり、かつ前記第一周壁部及び前記第二周壁部が開かれた際に、前記光ファイバケーブルに対して着脱可能となるように構成されている
光ファイバケーブルガイド。
【請求項２】
請求項１に記載の光ファイバケーブルガイドであって、
前記保持部は、前記コネクタの挿抜方向の一端に設けられた可撓性のあるブーツ部を前記コネクタの挿抜方向に交差する方向へと湾曲させた状態で保持することにより、前記ブーツ部の内部に通された状態にある前記光ファイバケーブルを前記コネクタの挿抜方向に交差する方向へと湾曲させた状態で保持可能に構成されている
光ファイバケーブルガイド。
【請求項３】
請求項２に記載の光ファイバケーブルガイドであって、
湾曲する状態で保持される前記ブーツ部の曲率中心に相当する軸線が延びる方向を幅方向として、
前記第一周壁部及び前記第二周壁部は、前記ブーツ部を前記幅方向の両側から挟み込んで保持可能に構成され、
前記ヒンジ部及び前記ロック部は、前記第一周壁部の外面に接する位置に仮想される前記幅方向に垂直な第一仮想面と、前記第二周壁部の外面に接する位置に仮想される前記幅方向に垂直な第二仮想面との間に収まる位置に設けられている
光ファイバケーブルガイド。
【請求項４】
請求項２又は請求項３に記載の光ファイバケーブルガイドであって、
前記保持部によって保持された前記ブーツ部から当該ブーツ部の外部へと延出する前記光ファイバケーブルを、前記コネクタの挿抜方向に対して交差する方向へと案内するガイド部を有する
光ファイバケーブルガイド。
【請求項５】
請求項４に記載の光ファイバケーブルガイドであって、
前記ガイド部は、前記第一周壁部と一体に設けられていて、
前記第一周壁部には、前記ブーツ部が嵌め込まれた際に、前記ブーツ部の外周を開口箇所以外の三方において囲む状態となる第一凹部が設けられ、
前記ガイド部には、前記光ファイバケーブルを案内する際に、前記光ファイバケーブルの外周を開口箇所以外の三方において囲む状態となる第二凹部が設けられ、
前記第一凹部と前記第二凹部は、それぞれの開口箇所が異なる方向に向けられている
光ファイバケーブルガイド。
【発明の詳細な説明】
【技術分野】
【０００１】
本開示は、光ファイバケーブルガイドに関する。
【背景技術】
【０００２】
光ファイバケーブルの一端に設けられるコネクタに装着される光ファイバケーブルガイドが知られている（例えば、特許文献１参照。）。特許文献１に記載の光ファイバケーブルガイドは、コネクタが有するブーツ部の外側に嵌め込まれる。光ファイバケーブルガイドの内側に配置されるブーツ部及び光ファイバケーブルは、コネクタの挿抜方向に対して交差する方向へと曲げられる。
【先行技術文献】
【特許文献】
【０００３】
【特許文献１】米国特許第５６４０４７６号明細書
【発明の概要】
【発明が解決しようとする課題】
【０００４】
しかしながら、上記特許文献１に記載の光ファイバケーブルガイドは、軸方向に延びるスリットを通じて光ファイバケーブルを内部へ導入して、光ファイバケーブルガイドをコネクタのブーツ部側へとスライドさせることにより、ブーツ部の外側に嵌め込まれる。そのため、光ファイバケーブルガイドが、何らかの事情でブーツ部から抜ける方向へとスライドした場合、ブーツ部より細い光ファイバケーブルは、容易にスリットを通り抜け得る。したがって、光ファイバケーブルがスリットを通り抜けた場合、光ファイバケーブルガイドが光ファイバケーブルから脱落してしまうおそれがある。
【０００５】
また、光ファイバケーブルガイドを挟んでブーツ部側とは反対側となる箇所で光ファイバケーブルを把持しながら、光ファイバケーブルガイドをブーツ部側へスライドさせる作業を行うと、光ファイバケーブルに張力が作用する。その際、光ファイバケーブルガイドをスライドさせる距離が長くなるほど、光ファイバケーブルにかかる負荷は増大するため、光ファイバケーブルを損傷させるおそれが高くなる。
【０００６】
本開示の一局面においては、光ファイバケーブルからの脱落を抑制可能、かつ光ファイバケーブルの損傷を抑制可能な光ファイバケーブルガイドを提供することが望ましい。
【課題を解決するための手段】
【０００７】
本開示の一態様は、光ファイバケーブルガイドであって、光ファイバケーブルの一端に設けられるコネクタに装着されて、光ファイバケーブルがコネクタから当該コネクタの挿抜方向に対して交差する方向へと延出するように、光ファイバケーブルを案内する光ファイバケーブルガイドであって、コネクタの挿抜方向の一端において、光ファイバケーブルをコネクタの挿抜方向に交差する方向へと湾曲させた状態で保持可能に構成された保持部を含み、保持部は、ヒンジ部を介して開閉可能に連結された第一周壁部及び第二周壁部と、第一周壁部及び第二周壁部が閉じられた際に、第一周壁部と第二周壁部との間に架け渡されて、第一周壁部及び第二周壁部が開かれるのを規制するロック状態となるロック部とを有し、保持部は、第一周壁部及び第二周壁部が閉じられた際に、第一周壁部と第二周壁部との間に挟まれる位置にある光ファイバケーブルを、コネクタの挿抜方向に交差する方向へと湾曲させて保持する状態となり、かつ第一周壁部及び第二周壁部が開かれた際に、光ファイバケーブルに対して着脱可能となるように構成されている。
【０００８】
このように構成された光ファイバケーブルガイドによれば、第一周壁部及び第二周壁部を閉じれば、第一周壁部と第二周壁部との間に挟まれる位置にある光ファイバケーブルを、コネクタの挿抜方向に交差する方向へと湾曲させて保持することができる。第一周壁部及び第二周壁部が閉じられた際には、ロック部がロック状態となり、第一周壁部及び第二周壁部が開かれるのを規制する。ロック部は、ロック状態となった際に第一周壁部と第二周壁部との間に架け渡される。したがって、ロック部が架け渡された箇所を光ファイバケーブルが通り抜けることはできなくなる。よって、このような光ファイバケーブルガイドであれば、軸方向に延びるスリットがある光ファイバケーブルガイドとは異なり、光ファイバケーブルガイドが光ファイバケーブルから脱落するのを抑制することができる。
【０００９】
また、上記光ファイバケーブルガイドであれば、第一周壁部及び第二周壁部を開いて光ファイバケーブルに対して着脱することができる。したがって、光ファイバケーブルを把持しながら光ファイバケーブルガイドをスライドさせる作業は不要か、スライドさせるとしてもスライドさせる距離を従来品よりも短くすることができる。よって、光ファイバケーブルガイドの着脱作業時に光ファイバケーブルに余計な負荷がかかるのを抑制でき、そのような負荷が原因で光ファイバケーブルが損傷するのを抑制することができる。
【図面の簡単な説明】
【００１０】
【図１】図１ＡはＳＣ形光ファイバコネクタのブーツ部に装着された光ファイバケーブルガイドを左上前方から見た斜視図である。図１ＢはＳＣ形光ファイバコネクタのブーツ部に装着された光ファイバケーブルガイドの正面図である。図１ＣはＳＣ形光ファイバコネクタのブーツ部に装着された光ファイバケーブルガイドを左下前方から見た斜視図である。
【図２】図２Ａは光ファイバケーブルガイドの平面図である。図２Ｂは光ファイバケーブルガイドの左側面図である。図２Ｃは光ファイバケーブルガイドの正面図である。図２Ｄは光ファイバケーブルガイドの右側面図である。図２Ｅは光ファイバケーブルガイドの背面図である。図２Ｆは光ファイバケーブルガイドの底面図である。
【図３】図３Ａは開かれた状態にある保持部とコネクタのブーツ部を示す正面図である。図３Ｂは閉じられた状態にある保持部とコネクタのブーツ部を示す正面図である。
【図４】図４Ａは二つの光ファイバケーブルガイドが並べられた状態を示す左側面図である。図４Ｂは二つの光ファイバケーブルガイドが並べられた状態を示す右側面図である。
【図５】図５ＡはＬＣ形光ファイバコネクタのブーツ部に装着された光ファイバケーブルガイドを左上前方から見た斜視図である。図５ＢはＬＣ形光ファイバコネクタのブーツ部に装着された光ファイバケーブルガイドの正面図である。図５ＣはＬＣ形光ファイバコネクタのブーツ部に装着された光ファイバケーブルガイドを左下前方から見た斜視図である。
【発明を実施するための形態】
【００１１】
次に、上述の光ファイバケーブルガイドについて、例示的な実施形態を挙げて説明する。なお、以下の説明においては、図中に併記した前後左右上下の各方向を利用して説明を行う。これらの各方向は図２Ａ〜図２Ｆに示す六面図に基づいて規定した方向である。ただし、これらの各方向は光ファイバケーブルガイドを構成する各部の相対的な位置関係を簡潔に説明するために規定した方向にすぎない。したがって、例えば光ファイバケーブルガイドの使用時等に、光ファイバケーブルガイドをどのような方向に向けて設置するかは任意である。
【００１２】
［光ファイバケーブルガイドの構成］
図１Ａ〜図１Ｃに示すように、光ファイバケーブルガイド１は、光ファイバケーブル１０１がコネクタ１０３から当該コネクタ１０３の挿抜方向（図中でいう前後方向。）に対して交差する方向（図中でいう下方向。）へと延出するように、光ファイバケーブル１０１を案内する部材である。本実施形態で例示するコネクタ１０３は、ＳＣ形光ファイバコネクタである。光ファイバケーブルガイド１は、保持部３及びガイド部５を有する。
【００１３】
保持部３は、コネクタ１０３の挿抜方向（図中でいう前後方向。）の一端において、光ファイバケーブル１０１をコネクタ１０３の挿抜方向に交差する方向（図中でいう斜め下後方。）へと湾曲させた状態で保持可能に構成されている。保持部３は、第一周壁部１１、第二周壁部１２、ヒンジ部１３、及びロック部１５を有する。第一周壁部１１及び第二周壁部１２は、ヒンジ部１３を介して開閉可能に連結されている。
【００１４】
図１Ａ〜図１Ｃには、第一周壁部１１及び第二周壁部１２が閉じられている状態を示す。図２Ａ〜図２Ｆには、第一周壁部１１及び第二周壁部１２が開かれている状態を示す。第一周壁部１１の前端には第一切り欠き部１６が設けられている（図２Ｂ及び図２Ｄ参照。）。第二周壁部１２の前端には第二切り欠き部１７が設けられている（図２Ｂ及び図２Ｄ参照。）。保持部３は、図３Ａに示すように、第一周壁部１１及び第二周壁部１２が開かれた際には、光ファイバケーブル１０１に対して着脱可能となる。保持部３は、図３Ｂに示すように、第一周壁部１１及び第二周壁部１２が閉じられた際には、コネクタ１０３の挿抜方向の一端に設けられた可撓性のあるブーツ部１０５を、コネクタ１０３の挿抜方向に交差する方向（本実施形態においては斜め下後方。）へと湾曲させた状態で保持する。
【００１５】
このとき、第一周壁部１１及び第二周壁部１２は、湾曲させたブーツ部１０５の曲率中心に相当する軸線が延びる方向（図中でいう左右方向。）を幅方向として、幅方向の両側からブーツ部１０５を挟み込んで保持する。これにより、保持部３は、第一周壁部１１と第二周壁部１２との間に挟まれる位置にある光ファイバケーブル１０１（すなわち、ブーツ部１０５の内部に通された状態にある光ファイバケーブル１０１。）をコネクタ１０３の挿抜方向に交差する方向（本実施形態においては斜め下後方。）へと湾曲させて保持する状態となる。
【００１６】
ロック部１５は、図２Ａ〜図２Ｆに示すように、第一係合部１５Ａ及び第二係合部１５Ｂを有する。第一係合部１５Ａは、第一周壁部１１と一体に設けられている。第二係合部１５Ｂは、第二周壁部１２と一体に設けられている。第一周壁部１１及び第二周壁部１２が閉じられた際には、第一係合部１５Ａと第二係合部１５Ｂとが互いに係合する。これにより、ロック部１５は、第一周壁部１１と第二周壁部１２との間に架け渡されて、第一周壁部１１及び第二周壁部１２が開かれるのを規制するロック状態となる。第一係合部１５Ａと第二係合部１５Ｂとの係合を解除するとロック部１５はアンロック状態となる。ロック部１５をアンロック状態にすれば、第一周壁部１１及び第二周壁部１２を開くことができる。
【００１７】
ヒンジ部１３は、図４Ａに示すように、第一周壁部１１の外面に接する位置に仮想される幅方向に垂直な第一仮想面Ｖ１と、第二周壁部１２の外面に接する位置に仮想される幅方向に垂直な第二仮想面Ｖ２との間に収まる位置Ｐ１に設けられている。ロック部１５は、図４Ｂに示すように、上記第一仮想面Ｖ１と第二仮想面Ｖ２との間に収まる位置Ｐ２に設けられている。すなわち、ヒンジ部１３及びロック部１５は、第一周壁部１１及び第二周壁部１２の外面から幅方向へ突出しないように構成されている。
【００１８】
ガイド部５は、保持部３によって保持されたブーツ部１０５から当該ブーツ部１０５の外部へと延出する光ファイバケーブル１０１を、コネクタ１０３の挿抜方向に対して交差する方向（図中でいう下方。）へと案内する。ガイド部５は、第一周壁部１１と一体に設けられている。ガイド部５は、光ファイバケーブル１０１の前方かつ下方となる位置に配置される湾曲壁１８と、光ファイバケーブル１０１の左方となる位置に配置される側壁１９とを有する。湾曲壁１８及び側壁１９は、長手方向に直交する断面形状がＬ字状となるように構成されている。湾曲壁１８及び側壁１９は、上端側において第一周壁部１１に連設され、その連設箇所から徐々に下方へと湾曲しつつ下端側へと延びている。
【００１９】
第一周壁部１１には、ブーツ部１０５が嵌め込まれた際に、ブーツ部１０５の外周を開口箇所以外の三方（図２Ｄにおける斜め上後方、斜め下前方、及び左方。）において囲む状態となる第一凹部２１が設けられている（図２Ｄ参照。）。ガイド部５の下端には、光ファイバケーブル１０１を案内する際に、光ファイバケーブル１０１の外周を開口箇所以外の三方（図２Ｂにおける前方、後方、及び右方。）において囲む状態となる第二凹部２２が設けられている（図２Ａ、図２Ｂ、及び図２Ｆ参照。）。第一凹部２１と第二凹部２２は、それぞれの開口箇所が異なる方向に向けられている。本実施形態の場合、第一凹部２１の開口箇所は、図２Ｄ中でいう右方に向けられ、第二凹部２２の開口箇所は、図２Ｂ中でいう左方に向けられている。
【００２０】
［効果］
以上のように構成された光ファイバケーブルガイド１によれば、第一周壁部１１及び第二周壁部１２を閉じれば、第一周壁部１１と第二周壁部１２との間に挟まれる位置にある光ファイバケーブル１０１を、コネクタ１０３の挿抜方向に交差する方向へと湾曲させて保持することができる。したがって、例えば、水平方向が挿抜方向となっているコネクタ１０３から光ファイバケーブル１０１が延出する方向を下方向へと曲げた状態で保持することができる。その際、光ファイバケーブル１０１が許容最小曲げ半径よりも小さな曲率半径で曲げられるのを抑制することができる。
【００２１】
また、上記光ファイバケーブルガイド１の場合、第一周壁部１１及び第二周壁部１２が閉じられた際に、ロック部１５が第一周壁部１１と第二周壁部１２との間に架け渡され、ロック部１５が架け渡された箇所を光ファイバケーブル１０１が通り抜けることはできなくなる。よって、このような光ファイバケーブルガイド１であれば、軸方向に延びるスリットがある光ファイバケーブルガイドとは異なり、光ファイバケーブルガイド１が光ファイバケーブル１０１から脱落するのを抑制することができる。
【００２２】
さらに、上記光ファイバケーブルガイド１であれば、第一周壁部１１及び第二周壁部１２を開いて光ファイバケーブル１０１に対して着脱することができる。したがって、光ファイバケーブル１０１を把持しながら光ファイバケーブルガイド１をスライドさせる作業は不要である。よって、光ファイバケーブルガイド１の着脱作業時に光ファイバケーブル１０１に余計な負荷がかかるのを抑制でき、そのような負荷が原因で光ファイバケーブル１０１が損傷するのを抑制することができる。
【００２３】
なお、光ファイバケーブルガイド１とブーツ部１０５の間に生じた隙間を無くして光ファイバケーブルガイド１とブーツ部１０５を密着させたい場合は、光ファイバケーブルガイド１をコネクタ１０３側へスライドさせてもよい。そのようなスライド操作を行う場合であっても、保持部３が上述のように開閉可能な構造になっていれば、光ファイバケーブルガイド１をスライドさせる距離を従来品よりも短くすることができる。したがって、光ファイバケーブルガイド１に余計な負荷がかかるのを抑制でき、光ファイバケーブル１０１が損傷するのを抑制することができる。
【００２４】
また、本実施形態の場合、ヒンジ部１３及びロック部１５は、上述した第一仮想面Ｖ１と第二仮想面Ｖ２との間に収まる位置に設けられている。そのため、例えば、送信用及び受信用で使われる二本の光ファイバケーブル１０１が、図４Ａ及び図４Ｂに示すように近接した位置に配置される場合に、各光ファイバケーブル１０１に対して光ファイバケーブルガイド１を装着しても、隣り合う位置にある光ファイバケーブルガイド１同士で互いのヒンジ部１３及びロック部１５が干渉することはない。よって、複数の光ファイバケーブル１０１が近接した位置に配置される場合に、各光ファイバケーブル１０１に対して適正に光ファイバケーブルガイド１を装着できる可能性を高めることができる。
【００２５】
また、本実施形態の場合、第一凹部２１と第二凹部２２とでは、それぞれの開口箇所が異なる方向に向けられている。そのため、第一凹部２１に嵌め込まれたブーツ部１０５と第二凹部２２に導入された光ファイバケーブル１０１に対し、同方向へと変位させる力が作用しても、双方が同時に各凹部から外れてしまうのを抑制することができる。したがって、光ファイバケーブル１０１に対して光ファイバケーブルガイド１を装着する際の作業性を良好にすることができる。
【００２６】
［他の実施形態］
以上、光ファイバケーブルガイド１について、例示的な実施形態を挙げて説明したが、上述の実施形態は本開示の一態様として例示されるものに過ぎない。すなわち、本開示は、上述の例示的な実施形態に限定されるものではなく、本開示の技術的思想を逸脱しない範囲内において、様々な形態で実施することができる。
【００２７】
例えば、上記実施形態では、光ファイバケーブルガイド１が装着されるコネクタ１０３の例として、ＳＣ形光ファイバコネクタを示したが、他の光ファイバコネクタを利用することもできる。例えば、図５Ａ〜図５Ｃに例示するように、コネクタ１０３としてはＬＣ形光ファイバコネクタを利用することもできる。
【００２８】
また、上記実施形態では、ヒンジ部１３及びロック部１５が、第一周壁部１１及び第二周壁部１２の外面から幅方向へ突出しないように構成されていたが、複数の光ファイバケーブルガイド１間に十分な空隙を確保できる場合は、ヒンジ部１３及びロック部１５が、第一周壁部１１及び第二周壁部１２の外面から幅方向へ突出していても問題はない。
【００２９】
また、上記実施形態では、光ファイバケーブルガイド１が保持部３及びガイド部５を有する例を示したが、保持部３相当の構成だけで光ファイバケーブル１０１を所期の方向へ湾曲させることができる場合は、ガイド部５を設けなくてもよい。すなわち、ガイド部５を設けるか否かは任意である。
【００３０】
また、上記実施形態では、第一凹部２１の開口箇所は右方に向けられ、第二凹部２２の開口箇所は左方に向けられていたが、これらの開口箇所を正反対の方向に向けるか否かは任意である。例えば、第一凹部２１の開口箇所が右方に向けられる場合において、第二凹部２２の開口箇所は右方以外の方向に向けられていればよく、例えば、第二凹部２２の開口箇所は下方又は上方に向けられていてもよい。これらの場合でも、二つの凹部の開口箇所が同一方向には向けられていないので、光ファイバケーブル１０１に対して光ファイバケーブルガイド１を装着する際の作業性を良好にすることができる。
【００３１】
なお、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００３２】
［補足］
なお、以上説明した例示的な実施形態から明らかなように、本開示の光ファイバケーブルガイドは、更に以下に挙げるような構成を備えていてもよい。
【００３３】
まず、本開示の光ファイバケーブルガイドにおいて、保持部は、コネクタの挿抜方向の一端に設けられた可撓性のあるブーツ部をコネクタの挿抜方向に交差する方向へと湾曲させた状態で保持することにより、ブーツ部の内部に通された状態にある光ファイバケーブルをコネクタの挿抜方向に交差する方向へと湾曲させた状態で保持可能に構成されていてもよい。
【００３４】
このように構成された光ファイバケーブルガイドによれば、ブーツ部の内部に通された状態にある光ファイバケーブルをコネクタの挿抜方向に交差する方向へと湾曲させた状態で保持することができる。
【００３５】
また、本開示の光ファイバケーブルガイドは、湾曲する状態で保持されるブーツ部の曲率中心に相当する軸線が延びる方向を幅方向として、第一周壁部及び第二周壁部は、ブーツ部を幅方向の両側から挟み込んで保持可能に構成され、ヒンジ部及びロック部は、第一周壁部の外面に接する位置に仮想される幅方向に垂直な第一仮想面と、第二周壁部の外面に接する位置に仮想される幅方向に垂直な第二仮想面との間に収まる位置に設けられていてもよい。
【００３６】
このように構成された光ファイバケーブルガイドによれば、第一周壁部及び第二周壁部の幅方向両端間の内側にヒンジ部及びロック部が配置される。したがって、第一周壁部及び第二周壁部の幅方向に複数の光ファイバケーブルガイドを並べて配置する際に、隣り合う位置にある光ファイバケーブルガイド同士で互いのヒンジ部及びロック部が干渉することはない。よって、複数の光ファイバケーブルが近接した位置に配置されている場合であっても、そのような光ファイバケーブルに対して適正に光ファイバケーブルガイドを装着できる可能性を高めることができる。
【００３７】
また、本開示の光ファイバケーブルガイドは、保持部によって保持されたブーツ部から当該ブーツ部の外部へと延出する光ファイバケーブルを、コネクタの挿抜方向に対して交差する方向へと案内するガイド部を有してもよい。
【００３８】
このように構成された光ファイバケーブルガイドによれば、ブーツ部の外部へと延出する光ファイバケーブルを、ガイド部によってコネクタの挿抜方向に対して交差する方向へと案内することができる。
【００３９】
また、本開示の光ファイバケーブルガイドにおいて、ガイド部は、第一周壁部と一体に設けられていて、第一周壁部には、ブーツ部が嵌め込まれた際に、ブーツ部の外周を開口箇所以外の三方において囲む状態となる第一凹部が設けられ、ガイド部には、光ファイバケーブルを案内する際に、光ファイバケーブルの外周を開口箇所以外の三方において囲む状態となる第二凹部が設けられ、第一凹部と第二凹部は、それぞれの開口箇所が異なる方向に向けられていてもよい。
【００４０】
このように構成された光ファイバケーブルガイドによれば、第一凹部と第二凹部とでは、それぞれの開口箇所が異なる方向に向けられている。そのため、第一凹部に嵌め込まれたブーツ部と第二凹部に導入された光ファイバケーブルに対し、同方向へと変位させる力が作用しても、双方が同時に各凹部から外れてしまうのを抑制することができる。
【符号の説明】
【００４１】
１…光ファイバケーブルガイド、３…保持部、５…ガイド部、１１…第一周壁部、１２…第二周壁部、１３…ヒンジ部、１５…ロック部、１５Ａ…第一係合部、１５Ｂ…第二係合部、１６…第一切り欠き部、１７…第二切り欠き部、１８…湾曲壁、１９…側壁、２１…第一凹部、２２…第二凹部、１０１…光ファイバケーブル、１０３…コネクタ、１０５…ブーツ部。
【図１】
2019060953.tif 000003
【図２】
2019060953.tif 000004
【図３】
2019060953.tif 000005
【図４】
2019060953.tif 000006
【図５】
2019060953.tif 000007